(57)【特許請求の範囲】
【請求項１】
記憶手段と、操作入力手段と、制御手段を備えたカラオケ装置であって、
記憶手段は、各楽曲のカラオケデータを予約番号に対応付けして格納するとともに、楽曲紹介番組を格納し、
楽曲紹介番組は、複数の楽曲のタイトル・歌手名・予約番号の順列を含み、
操作入力手段は、利用者の操作入力を受け付け可能であり、
制御手段は、操作入力手段により受け付けた予約番号を予約リストに順番に登録し、
制御手段は、予約リストに予約番号が登録されている場合、登録の順番に従って予約番号に該当するカラオケデータを記憶手段から読み出してカラオケ演奏処理を行い、
制御手段は、予約リストに予約番号が登録されていない場合、第１〜第４処理の曲間処理を行い、
第１処理は、楽曲紹介番組を記憶手段から読み出し、番組中の楽曲順列に従って各楽曲のタイトル・歌手名を予約可能楽曲として順番に提示するスクロール表示を行い、第１操作入力の受け付けを可能とし、
第２処理は、第１処理のスクロール表示中に第１操作入力を受け付けた際、予約可能楽曲のタイトル・歌手名を表示した状態でスクロールを停止させ、第２操作入力の受け付けを可能とし、
第３処理は、第２処理を開始してから所定時間内に第２操作入力を受け付けなかった場合、第１処理に戻ってスクロール表示を再開させ、
第４処理は、第２処理の停止表示中に第２操作入力を受け付けた際、予約可能楽曲としてタイトル・歌手名を表示している楽曲の予約番号を楽曲紹介番組から抽出して予約リストに登録し、曲間処理を終了する
カラオケ装置。
【発明の詳細な説明】
【０００１】
【発明の属する技術分野】
本発明は、カラオケ楽曲の演奏待機中または演奏準備中に、新譜楽曲やゲーム等の各種コンテンツを紹介する番組を放映するカラオケ装置に係り、特に紹介された楽曲を利用者が簡単にリクエストできるようにするユーザインターフェース技術に関する。
【０００２】
【従来の技術】
カラオケ楽曲の演奏待機中または演奏準備中に、最近リクエストの多い曲や新譜の曲を紹介したり、ゲームソフトのようなカラオケ装置で楽しむことができるコンテンツを紹介する番組を放映するカラオケ装置がある。このカラオケ装置が紹介する内容は、楽曲のタイトル名や予約番号などであり、ディスプレイに画面表示して案内する。利用者は、紹介された楽曲の中に気に入った曲があったときには、その曲の予約番号をカラオケ装置に入力してリクエストする。
【０００３】
【発明が解決しようとする課題】
前述の従来技術では、コンテンツ紹介番組を見た利用者は直接カラオケ装置にリクエストしなければならなかった。このため、利用者は、案内された楽曲タイトル名やリクエスト番号をいちいち覚えたりメモしたりしなければならず、きわめて煩雑で面倒な手間を要した。これにより、せっかく番組で楽曲が紹介されても、その楽曲の利用がなかなか進まず、あまり大きな利用促進効果は得られなかった。
【０００４】
本発明は、前記事情に鑑みてなされたものであって、その目的は、番組で紹介された楽曲のタイトル名や予約番号をいちいち覚えておかなくとも簡単に楽曲をリクエストすることができるカラオケ装置を提供することにある。
【０００５】
【課題を解決するための手段】
この発明に係るカラオケ装置は、分説すると、つぎの事項（１）〜（11）により特定されるものである。
（１）記憶手段と、操作入力手段と、制御手段を備えたカラオケ装置であること
（２）記憶手段は、各楽曲のカラオケデータを予約番号に対応付けして格納するとともに、楽曲紹介番組を格納すること
（３）楽曲紹介番組は、複数の楽曲のタイトル・歌手名・予約番号の順列を含むこと
（４）操作入力手段は、利用者の操作入力を受け付け可能であること
（５）制御手段は、操作入力手段により受け付けた予約番号を予約リストに順番に登録すること
（６）制御手段は、予約リストに予約番号が登録されている場合、登録の順番に従って予約番号に該当するカラオケデータを記憶手段から読み出してカラオケ演奏処理を行うこと
（７）制御手段は、予約リストに予約番号が登録されていない場合、第１〜第４処理の曲間処理を行うこと
（８）第１処理は、楽曲紹介番組を記憶手段から読み出し、番組中の楽曲順列に従って各楽曲のタイトル・歌手名を予約可能楽曲として順番に提示するスクロール表示を行い、第１操作入力の受け付けを可能とすること
（９）第２処理は、第１処理のスクロール表示中に第１操作入力を受け付けた際、予約可能楽曲のタイトル・歌手名を表示した状態でスクロールを停止させ、第２操作入力の受け付けを可能とすること
（10）第３処理は、第２処理を開始してから所定時間内に第２操作入力を受け付けなかった場合、第１処理に戻ってスクロール表示を再開させること
（11）第４処理は、第２処理の停止表示中に第２操作入力を受け付けた際、予約可能楽曲としてタイトル・歌手名を表示している楽曲の予約番号を楽曲紹介番組から抽出して予約リストに登録し、曲間処理を終了すること
【０００７】
【発明の実施の形態】
＝＝＝基本的な構成および動作＝＝＝
本発明のカラオケ装置の基本構成の一実施例を図１に示す。このカラオケ装置は、ハードディスクやＣＤ−ＲＯＭプレーヤあるいはＤＶＤ−ＲＯＭプレーヤなどを含むデータ記憶部２に多数のカラオケデータが格納されている。利用者が希望する予約番号は外部リモコン４からリモコン受信部６または操作パネル８により入力される。メインコンピュータ１２は、リモコン受信部６やユーザインターフェース１０を介してリクエスト入力を受け付け、ＲＡＭ１１に作成された予約リストに登録する。メインコンピュータ１２は、予約リストの登録楽曲に対応するカラオケデータをデータ記憶部２から逐次読み出して順次演奏処理する。ここで、カラオケデータには、カラオケ伴奏音楽の起源となる音楽生成データと、歌詞画像の起源となる歌詞描出データとが含まれている。メインコンピュータ１２は、読み出したカラオケデータの音楽生成データに基づきシンセサイザ１４を駆動してカラオケ伴奏音楽を生成し、その伴奏音楽をミキシングアンプ１６を介してスピーカ１８から、マイクロホン２０からの歌唱入力とともに音響出力する。また歌詞描出データに基づき、カラオケ伴奏音楽の進行に合わせて色変わりする歌詞画像を映像制御部２２を介してディスプレイ２４に画面表示する。この際、ディスプレイ２４の歌詞画像の背景には、ビデオＣＤプレーヤやＤＶＤプレーヤ、ＬＤプレーヤ等から構成された背景映像供給部２６から供給された背景映像を映像制御部２２を介し合成出力する。
【０００８】
このカラオケ装置は、カラオケ以外のコンテンツとして、多数のゲームプログラムを用意している。これらの非カラオケコンテンツもデータ記憶部２に格納されている。非カラオケコンテンツである各ゲームプログラムにもカラオケコンテンツと同じ体系の予約番号が付されていて、利用者は各ゲームプログラムの予約番号をカラオケ装置にリクエスト入力することにより、予約することができる。カラオケ装置は、予約リストに登録されたゲームプログラムを実行処理すべき適宜な機会が訪れると、予約番号に対応するゲームプログラムを読出してそのゲームプログラムを実行処理して音や映像を生成してディスプレイ２４やスピーカ１８から出力する。利用者は、出力される音や映像に対してリモコンなどを操作してインタラクティブに応答する。
【０００９】
＝＝＝曲間番組＝＝＝
このカラオケ装置は、ある楽曲の演奏が終わって次の楽曲の演奏に入ろうとする演奏準備期間や予約リストに演奏楽曲がなく利用者からの楽曲登録を待っている待機期間などに、予め用意されている曲間番組をディスプレイ２４に放映する機能を備える。ここで放映される曲間番組には、新譜リスト、おすすめ曲リスト、リクエストベスト２０、新着ゲームの紹介など、カラオケ装置で実行処理可能なコンテンツを紹介する番組がある。また、あるアーチストのコンサート情報など各種情報を知らせる情報番組や企業のＰＲ番組などがある。これらの番組もデータ記憶部２に格納されている。
【００１０】
各曲間番組は、例えば数十秒ないし数分程度のＭＰＥＧ形式等からなる動画データや数コマないし数十コマ分のＪＰＥＧ形式等からなる静止画データで構成されることがある。また、例えばＮＴＳＣ信号等のアナログビデオ信号で記録されたアナログ映像データ等から構成されることがある。また、文字や記号だけのテキストデータから構成されるものもある。これらの映像データには音声データが付帯される場合がある。
【００１１】
メインコンピュータ１２は、コンテンツの実行処理の待機状態または準備状態に入ろうとする際に、曲間番組データベースの中から最も適当な曲間番組を選出して曲間番組をディスプレイ２４に映像出力する。１つの曲間番組が終了したら次の曲間番組を開始したり、コンテンツの実行処理に移行したりする。
【００１２】
＝＝＝コンテンツ紹介番組＝＝＝
コンテンツ紹介番組では、１または複数のコンテンツのタイトルや予約番号等をディスプレイ２４に画面表示する。例えば、カラオケ楽曲の紹介番組では、図２に示すように、楽曲のタイトルや歌手名、また予約番号をディスプレイに画面表示する。紹介するコンテンツが多数あって１つの画面に収まらない場合には、表示画面をスクロールさせたり、所定時間おきに画面を切り換えて複数のコンテンツを紹介する。
【００１３】
メインコンピュータ１２は、コンテンツ紹介番組でコンテンツを紹介しているときに、利用者からコンテンツのリクエスト入力を受け付ける。コンテンツ紹介番組には、紹介するコンテンツについて予約登録を受け付けるためのリクエスト受付制御データが付加されている。このリクエスト受付制御データには、利用者からのリクエスト入力を受け付ける時間を、紹介するコンテンツ毎に設定するための予約受付時間設定情報が規定されている。予約受付時間は、当該番組におけるコンテンツの紹介時期に合わせて択一的にコンテンツが選択されるようにコンテンツ間で互いにラップしないように設定されている。つまり、コンテンツＡが放映開始後１秒から５秒までの間に紹介される場合にはコンテンツＡのリクエストの受付時間を放映開始後１秒から５秒までの間に設定する。コンテンツＢが放映開始後５秒から１０秒までの間に紹介される場合には、コンテンツＢのリクエストの受付時間を放映開始後５秒から１０秒までの間に設定する。この他、各コンテンツのリクエスト受付時間が互いにラップしないように設定されるのであれば、あるコンテンツの紹介期間と次のコンテンツの紹介期間との間に、リクエストを受け付けない非受付期間を設定してもかまわない。各予約受付時間にはそれぞれ各コンテンツの予約番号が対応付けられて規定されている。
【００１４】
メインコンピュータ１２は、コンテンツ紹介番組を放映する際に、その番組のリクエスト受付制御データを読み出して、コンテンツ紹介番組の放映中、そのリクエスト受付制御データに基づいてユーザインターフェース１０からのユーザ入力、外部リモコン４や操作パネル８からの操作入力を監視する。コンテンツ紹介番組では、１曲分のカラオケ楽曲に関する情報が１つの画面に収まるように画面表示される。つまり、１つの画面にカラオケ楽曲のタイトル名および予約番号が表示される。次のカラオケ楽曲を紹介しようとするときには、カラオケ楽曲の情報は画面上から消去する。これによって、画面スクロールしながらも同一の画面上には、１つのカラオケ楽曲が表示されるようになっている。この際、コンテンツに関する情報の表示エリア近傍に選択可能である旨を示すマークやアイコン等を付して表示する。
【００１５】
利用者は、ディスプレイ２４に放映されるコンテンツ紹介番組を見ながら、今現在リクエスト可能なコンテンツを知ることができる。そして、ディスプレイ２４に画面表示されているコンテンツの中に気に入ったものがあれば、所定時間以内にユーザインターフェース１０を通じて予約登録をする。例えば、外部リモコン４や操作パネル８に設けられた『Enter 』キーや『選択』キーなどを押してユーザ入力する。メインコンピュータ１２は、ユーザインターフェース１０を通じて利用者から予約登録する旨のユーザ入力があった場合には、図３に示すような予約確認画面をディスプレイ２４に画面表示する。ここで、さらに、利用者から予約する旨の操作入力、すなわち外部リモコン４や操作パネル８において『スタート』キーが押されたことを検知したときには、メインコンピュータ１２は、図４に示すような画面を表示して、その楽曲の予約番号を予約リストに登録する。そして、そのコンテンツを実行処理する適宜な機会が訪れたときには、そのコンテンツをデータベースから読出して実行処理する。
【００１６】
他方、予約を拒否する旨の操作入力が利用者からあった場合には、メインコンピュータ１２は、予約はせずに紹介画面に戻って紹介の続きを行う。また、予約確認画面の表示開始から所定の時間が経過しても利用者から何ら操作入力指示がない場合には、紹介画面に戻って紹介の続きを行う。
【００１７】
なお、コンテンツ紹介番組がゲームプログラムを紹介する番組である場合においても、前記カラオケ楽曲を紹介する番組の場合と同様、番組に付属されたリクエスト受付制御データに基づき、ゲームプログラムの紹介中に利用者からのリクエストを受け付ける。
【００１８】
＝＝＝他の実施の形態＝＝＝
（１）１つの画面に複数のコンテンツを紹介する場合には、図５に示すように、登録可能なコンテンツの画面上の情報表示エリア近傍に、択一的に予約登録が可能である旨を表わすマークを付す。
【００１９】
（２）企業の商品やサービスに関する情報がコンテンツの１つであって、企業の宣伝広告番組がいわゆるコンテンツ紹介番組として機能し、例えば、図６に示すように企業の宣伝広告番組（概要情報）が流れている間に、利用者がこの商品やサービスに関する詳細な情報の閲覧をリクエストすると、さらに詳細な内容として、この例では催行日時、料金、申し込み方法などがディスプレイ２４に画面表示されるようになっていてもよい。
【００２０】
【発明の効果】
本発明のカラオケ装置によれば、コンテンツの紹介番組の放映中に、コンテンツ紹介番組に付属したリクエスト受付制御データに基づき利用者からのユーザ入力の監視を行い、利用者からユーザ入力があった場合には、そのコンテンツの予約番号を自動的に予約リストに登録するから、利用者は、番組で紹介中のコンテンツの中に気に入ったものがあれば、直ちにそのコンテンツの予約登録を簡単に行うことができる。従って、従来のように楽曲のタイトルや予約番号等をいちいち覚えたりメモを取ったりする必要がなく、利用者は気兼ねすることなく次々にコンテンツをリクエストすることができ、コンテンツの利用率向上に大きな期待を持てる。
【図面の簡単な説明】
【図１】本発明の基本的なカラオケ装置の一実施例を示すブロック構成図である。
【図２】カラオケ楽曲を紹介しているときの表示画面を示した画面構成図である。
【図３】利用者からリクエスト入力があったときの確認画面を示した画面構成図である。
【図４】利用者からコンテンツを予約する旨の入力があってそのコンテンツの予約番号を予約リストに登録しているときの表示画面を示した画面構成図である。
【図５】１つの画面に複数のコンテンツを紹介するときの予約可能なコンテンツを示す表示のしかたの一例を示した画面構成図である。
【図６】宣伝広告の詳しい内容を画面表示したときの画面構成図である。
【符号の説明】
２  データ記憶部
４  外部リモコン
６  リモコン受信部
８  操作パネル
１０  ユーザインターフェース
１２  メインコンピュータ
１４  シンセサイザ
１６  ミキシングアンプ
１８  スピーカ
２０  マイクロホン
２２  映像制御部
２４  ディスプレイ
２６  背景映像制御部
【図１】
0004136116.tif 000002
【図２】
0004136116.tif 000003
【図３】
0004136116.tif 000004
【図４】
0004136116.tif 000005
【図５】
0004136116.tif 000006
【図６】
0004136116.tif 000007